(57)【要約】【課題】  送信アンテナから受信アンテナに回り込む信号によって発生する異常発振や波形品質の劣化を、パイロット信号等の不要波を発生させることなく、容易に防止できる無線中継増幅装置を提供する。【解決手段】  基地局向けアンテナ１と、受信した信号を減衰及び増幅する下り回線用増幅部２と、下り回線用増幅部２で増幅された信号のレベルを検出し、基準レベルを超える場合に増幅前の信号を減衰させる制御信号を出力する信号レベル検出部３と、下り回線用増幅部２における増幅前の信号を復調して波形品質を検出し、当該波形品質が一定レベル以下となるよう減衰量を制御する制御信号を出力する受信信号制御部７と、移動局向けアンテナ８とを備える無線中継増幅装置である。【選択図】        図１
2008283426.tif 000002
【特許請求の範囲】
【請求項１】
下り回線用の無線信号を受信する受信アンテナと、
受信した信号を減衰及び増幅する下り回線用増幅部と、
前記下り回線用増幅部から出力された信号を無線送信する送信アンテナと、
前記下り回線用増幅部で増幅された信号のレベルを検出し、基準レベルを超える場合に前記下り回線用増幅部における増幅前の信号を減衰させる制御信号を出力する信号レベル検出部と、
前記下り回線用増幅部における増幅前の信号を復調して波形品質を検出し、当該波形品質が一定レベル以下となるよう前記下り回線用増幅部での減衰量を制御する制御信号を出力する受信信号制御部とを有することを特徴とする無線中継増幅装置。
【請求項２】
受信信号制御部が、減衰量を制御する制御信号を出力する動作を特定回数行っても波形品質の改善が為されない場合には、下り回線用増幅部での利得を制御前の状態に戻すよう減衰量を制御する制御信号を出力することを特徴とする請求項１記載の無線中継増幅装置。
【請求項３】
送信アンテナのチルト角又は／及び移動位置を調整する調整手段と、前記調整手段への調整量を制御するアンテナ制御手段とを備え、
前記アンテナ制御手段は、受信信号制御部で検出された波形品質に基づいて送信アンテナのチルト角又は／及び移動位置を調整制御する制御信号を前記調整手段に出力することを特徴とする請求項１又は２記載の無線中継増幅装置。
【発明の詳細な説明】
【技術分野】
【０００１】
本発明は、移動通信システムにおける無線中継増幅装置に係り、特に、送信アンテナと受信アンテナ間で発生する回り込みによる異常発振や波形品質の劣化を抑圧する無線中継増幅装置に関する。
【背景技術】
【０００２】
近年、移動通信における携帯電話は、移動局がどのような地域や場所にあっても、移動通信網にアクセスできることが望まれる。携帯電話機が移動通信網にアクセスするためには、携帯電話機が位置する場所が携帯電話基地局のサービスエリア内である必要がある。
【０００３】
また、基地局のサービスエリア内であっても、地形や構造物による影響のある地域、若しくは基地局からの距離が遠い地域、あるいは地下街、トンネル内など、基地局からの電波が届きにくい不感地域では、移動体通信網にアクセスすることができない。
【０００４】
このような不感地域を解消するために、基地局、移動局間の電波を双方向中継増幅する無線中継増幅装置が配置されている。
無線中継増幅装置は、受信アンテナで受信した無線周波数信号を増幅し、その無線周波数信号と同一の周波数で送信アンテナから再送信するものである。
【０００５】
一般に、このような移動体通信用の無線中継増幅装置においては、当該無線中継増幅装置の送信アンテナから送信された送信信号の一部が自身の受信アンテナで受信され、この回り込み信号を原因とする異常発振や波形品質の劣化を発生させるという問題があった。
【０００６】
そこで、従来の無線中継増幅装置において、このような送信信号の一部が自身の受信アンテナに回り込むことを原因として発生する異常発振等を防止する技術が提案されている。
この技術について、図４、図５を参照しながら説明する。図４は、第１の従来技術に係る無線中継増幅装置の構成ブロック図であり、図５は、第２の従来技術に係る無線中継増幅装置の構成ブロック図である。
【０００７】
［第１の従来技術］
第１の従来技術に係る無線中継増幅装置は、図４に示すように、基地局向けアンテナ１と、下り回線用増幅部２と、信号レベル検出部３と、上り回線用増幅部４と、信号レベル検出部５と、基地局向け共用器１０と、移動局向け共用器８０と、移動局向けアンテナ８とを基本的に備えている。
【０００８】
下り回線用増幅部２は、基地局から移動局に対する下り回線信号を中継増幅するものであり、可変減衰器２１と、増幅器２２と、可変減衰器２３と、増幅器２４と、方向性結合器２５とを備えている。
信号レベル検出部３は、検波器３１と、通過帯域フィルタ３２と、差動増幅器３３とを備えている。
上り回線用増幅部４は、移動局から基地局に対する上り回線信号を中継増幅するものであり、可変減衰器４１と、増幅器４２と、可変減衰器４３と、増幅器４４と、方向性結合器４５とを備えている。
【０００９】
信号レベル検出部５は、検波器５１と、通過帯域フィルタ５２と、差動増幅器５３とを有している。
基地局向け共用器１０は、下り回線用入力フィルタ１１と、上り回線用出力フィルタ１２を備えている。
移動局向け共用器８０は、下り回線用出力フィルタ８１と、上り回線用入力フィルタ８２を備えている。
【００１０】
第１の従来技術の動作は、基地局向けアンテナ１が無線基地局１０１から下り信号基地局受信波ａ1 を受信し、基地局向け共用器１０に出力し、基地局向け共用器１０の下り回線用入力フィルタ１１で帯域制限を行い、下り回線用増幅部２に出力する。
【００１１】
下り回線用増幅部２において、可変減衰器２１，２３で減衰を行い、増幅器２２，２４で増幅を行い、方向性結合器２５で出力の一部を検出して検波器３１で検波し、通過帯域フィルタ３２で帯域制限を行い、差動増幅器３３によって検波出力が基準電圧Ｒefを超えたとき、可変減衰器２１の減衰量を増加させ、下り回線用増幅部２が飽和状態にならないように利得制御される。
【００１２】
方向性結合器２５からの出力は、移動局向け共用器８０に入力され、移動局向け共用器８０の下り回線用出力フィルタ８１で帯域制限を行い、移動局向けアンテナ８から移動局２０１に下り信号移動局受信波ｂ1 を送信する。
【００１３】
また、移動局向けアンテナ８が移動局２０１から上り信号移動局送信波ｂ2 を受信し、移動局向け共用器８０に出力し、移動局向け共用器８０の上り回線用入力フィルタ８２で帯域制限を行い、上り回線用増幅部４に出力する。
【００１４】
上り回線用増幅部４において、可変減衰器４１，４３で減衰を行い、増幅器４２，４４で増幅を行い、方向性結合器４５で出力の一部を検出して検波器５１で検波し、通過帯域フィルタ５２で帯域制限を行い、差動増幅器５３によって検波出力が基準電圧Ｒefを超えたとき、可変減衰器４１の減衰量を増加させ、上り回線用増幅部４が飽和状態にならないように利得制御される。
【００１５】
方向性結合器４５からの出力は、基地局向け共用器１０に入力され、基地局向け共用器１０の上り回線用出力フィルタ１２で帯域制限を行い、基地局向けアンテナ１から基地局１０１に上り信号基地局受信波ａ2 を送信する。
【００１６】
このような無線中継増幅装置では、中継増幅利得をαとしてアンテナ間アイソレーションをβとしたとき、アンテナ間アイソレーションβが中継増幅利得αより小さくなったとき、
β−α＜０
異常発振となり、発振を回避するまで中継増幅装置の利得αを減少させる動作を行う。
【００１７】
［第２の従来技術］
また、第２の従来技術に係る無線中継増幅装置は、図５に示すように、基地局向けアンテナ１と、下り回線用増幅部２と、パイロット信号発生・検出部６と、下り回線用入力フィルタ１１と、下り回線用出力フィルタ８１と、移動局向けアンテナ８とを基本的に備えている。
尚、上り回線を必要とすれば、図４に示した上り回線用増幅部４と、信号レベル検出部５等の構成が必要となる。
【００１８】
図５における下り回線用増幅部２は、増幅器２２，２４と、可変減衰器２３と、方向性結合器２６，２７とを備えている。
パイロット信号発生・検出部６は、パイロット信号検出器６１と、利得制御部６２と、パイロット信号発生器６３とを備えている。
【００１９】
第２の従来技術は、無線中継増幅装置における発振状態となる前に当該無線中継増幅装置の利得を制御するものであって、受信周波数ｆと異なる周波数のパイロット信号ＦＰを送信アンテナから送信させ、受信アンテナに回り込んだパイロット信号のレベルを検出し、受信したパイロット信号のレベルに基づき無線中継増幅装置の利得を制御するものである。
【００２０】
第２の従来技術の動作は、基地局向けアンテナ１が無線基地局１０１から下り信号基地局送信波ａ1 を受信し、下り回線用入力フィルタ１１に出力する。下り回線用入力フィルタ１１では帯域制限され、下り回線用増幅部２の方向性結合器２６に入力される。
【００２１】
方向性結合器２６は、入力の一部をパイロット信号発生・検出部６のパイロット信号検出器６１に出力し、パイロット信号検出器６１で受信アンテナに回り込んだパイロット信号の検出を行う。
また、方向性結合器２６は、入力の一部を方向性結合器２７に出力する。
【００２２】
方向性結合器２７は、パイロット信号発生器６３で発生したパイロット信号を入力し、方向性結合器２６からの信号に付加して増幅器２２に出力する。
また、パイロット信号発生器６３は、発生したパイロット信号を利得制御部６２にも出力する。
【００２３】
利得制御部６２は、パイロット信号検出器６１で検出したパイロット信号と、パイロット信号発生器６３で発生したパイロット信号を入力し、発生したパイロット信号に対する検出したパイロット信号のレベルを検出し、当該レベルに応じて可変減衰器２３の減衰量を制御する。
【００２４】
方向性結合器２６の出力信号は、方向性結合器２７を介して増幅器２２で増幅され、更に可変減衰器２３に入力される。可変減衰器２３は、利得制御部６２からの制御信号により、減衰量が調整される。
そして、減衰器２３からの出力は、増幅器２４で増幅され、下り回線用出力フィルタ８１に出力され、下り回線用出力フィルタ８１で帯域制限されて、移動局向けアンテナ８から下り信号移動局受信波ｂ1 が移動局２０１に送信される。
【００２５】
尚、回り込みによる発振を防ぐ先行技術として特開２０００−２８６７７２「無線中継増幅装置の制御方法及び無線中継増幅装置」がある（特許文献１）。
当該先行技術は、電源投入時の利得を回り込みによる発振が発生しない程度に十分低く設定しておき、受信アンテナにおいて受信した信号を入力波と回り込み波に分波してレベル検出し、回り込み波のレベルが最小となるように、出力波の遅延差、振幅、位相を制御しつつ、徐々に利得を上げて最適値に設定する無線中継増幅装置の制御方法である。
【００２６】
【特許文献１】特開２０００−２８６７７２号公報（第３−６頁、図１）
【発明の開示】
【発明が解決しようとする課題】
【００２７】
しかしながら、上記第１の従来技術では、無線中継増幅装置における発振状態を回避することは可能ではあるが、当該無線中継増幅装置において生じる波形品質の劣化を防止するには至らず、例えば、符号分割多元接続を利用する通信網においては、回り込みによる発振が生じる前に波形品質が劣化する状態となり、波形品質の劣化を防止できないという問題点があった。
【００２８】
また、上記第２の従来技術では、不要なパイロット信号を送信アンテナから送出することになり、電波法に規定される不要波発射レベルを超過する場合がある。
また、符号分割多元接続を利用する通信網において、無線信号周波数帯域は周波数拡散された状態で送出され、その周波数帯域と異なる周波数のパイロット信号を送出させる場合においては、免許認可されている周波数帯域外にパイロット周波数を設定することになり、適正な運用を図ることができないという問題点があった。
【００２９】
本発明は上記実情に鑑みて為されたもので、送信アンテナから受信アンテナに回り込む信号によって発生する異常発振や波形品質の劣化を、パイロット信号等の不要波を発生させることなく、容易に防止できる無線中継増幅装置を提供することを目的とする。
【課題を解決するための手段】
【００３０】
上記従来例の問題点を解決するための本発明は、無線中継増幅装置において、下り回線用の無線信号を受信する受信アンテナと、受信した信号を減衰及び増幅する下り回線用増幅部と、下り回線用増幅部から出力された信号を無線送信する送信アンテナと、下り回線用増幅部で増幅された信号のレベルを検出し、基準レベルを超える場合に下り回線用増幅部における増幅前の信号を減衰させる制御信号を出力する信号レベル検出部と、下り回線用増幅部における増幅前の信号を復調して波形品質を検出し、当該波形品質が一定レベル以下となるよう下り回線用増幅部での減衰量を制御する制御信号を出力する受信信号制御部とを有することを特徴とする。
【００３１】
本発明は、上記無線中継増幅装置において、受信信号制御部が、減衰量を制御する制御信号を出力する動作を特定回数行っても波形品質の改善が為されない場合には、下り回線用増幅部での利得を制御前の状態に戻すよう減衰量を制御する制御信号を出力することを特徴とする。
【００３２】
本発明は、上記無線中継増幅装置において、送信アンテナのチルト角又は／及び移動位置を調整する調整手段と、当該調整手段への調整量を制御するアンテナ制御手段とを備え、アンテナ制御手段は、受信信号制御部で検出された波形品質に基づいて送信アンテナのチルト角又は／及び移動位置を調整制御する制御信号を調整手段に出力することを特徴とする。
【発明の効果】
【００３３】
本発明は、下り回線用の無線信号を受信する受信アンテナと、受信した信号を減衰及び増幅する下り回線用増幅部と、下り回線用増幅部から出力された信号を無線送信する送信アンテナと、下り回線用増幅部で増幅された信号のレベルを検出し、基準レベルを超える場合に下り回線用増幅部における増幅前の信号を減衰させる制御信号を出力する信号レベル検出部と、下り回線用増幅部における増幅前の信号を復調して波形品質を検出し、当該波形品質が一定レベル以下となるよう下り回線用増幅部での減衰量を制御する制御信号を出力する受信信号制御部とを有する無線中継増幅装置としているので、異常発振を防止し、波形品質の劣化を防止できる効果がある。
【００３４】
本発明によれば、受信信号制御部が、減衰量を制御する制御信号を出力する動作を特定回数行っても波形品質の改善が為されない場合には、下り回線用増幅部での利得を制御前の状態に戻すよう減衰量を制御する制御信号を出力する上記無線中継増幅装置としているので、波形品質の劣化が回り込み以外の、例えば、符号間干渉を原因とする場合にも適正に対応できる効果がある。
【００３５】
本発明によれば、送信アンテナのチルト角又は／及び移動位置を調整する調整手段と、当該調整手段への調整量を制御するアンテナ制御手段とを備え、アンテナ制御手段は、受信信号制御部で検出された波形品質に基づいて送信アンテナのチルト角又は／及び移動位置を調整制御する制御信号を調整手段に出力する上記無線中継増幅装置としているので、波形品質の劣化に連動してアンテナのチルト角等を調整することで、安定した波形品質を維持できる効果がある。
【発明を実施するための最良の形態】
【００３６】
本発明の実施の形態について図面を参照しながら説明する。
［実施の形態の概要］
本発明の実施の形態に係る無線中継増幅装置は、下り回線用の無線信号を受信する受信アンテナと、受信した信号を減衰及び増幅する下り回線用増幅部と、下り回線用増幅部からの信号を無線送信する送信アンテナと、下り回線用増幅部で増幅された信号のレベルを検出し、基準レベルを超える場合に増幅前の信号を減衰させる制御信号を出力する信号レベル検出部と、下り回線用増幅部における増幅前の信号を復調して波形品質を検出し、当該波形品質が一定レベル以下となるよう下り回線用増幅部での減衰量を制御する制御信号を出力する受信信号制御部とを備えるものであり、信号レベル検出部からの制御信号によって異常発振を防止し、受信信号制御部からの制御信号によって波形品質の劣化を防止できるものである。
【００３７】
また、本発明の実施の形態に係る無線中継増幅装置は、下り回線用の無線信号を受信すると共に上り回線用の無線信号を送信する基地局向けアンテナと、受信した下り回線用信号を減衰及び増幅する下り回線用増幅部と、下り回線用増幅部からの信号を無線送信すると共に上り回線用の無線信号を受信する移動局向けアンテナと、受信した上り回線用信号を減衰及び増幅する上り回線用増幅部と、下り回線用増幅部で増幅された信号のレベルを検出し、基準レベルを超える場合に下り回線用増幅部における増幅前の信号を減衰させる制御信号を出力する下り回線用の信号レベル検出部と、上り回線用増幅部で増幅された信号のレベルを検出し、基準レベルを超える場合に上り回線用増幅部における増幅前の信号を減衰させる制御信号を出力する上り回線用の信号レベル検出部と、下り回線用増幅部における増幅前の信号を復調して波形品質を検出し、当該波形品質が一定レベル以下となるよう下り回線用増幅部での減衰量を制御する制御信号を出力すると共に、上り回線用増幅部における増幅前の信号を復調して波形品質を検出し、当該波形品質が一定レベル以下となるよう上り回線用増幅部での減衰量を制御する制御信号を出力する受信信号制御部とを備えるものであり、信号レベル検出部からの制御信号によって異常発振を防止し、受信信号制御部からの制御信号によって波形品質の劣化を防止できるものである。
【００３８】
また、本発明の実施の形態に係る無線中継増幅装置は、フェージング等のレベル変動を考慮して受信信号制御部における増幅部の利得を調整設定したものである。
【００３９】
本発明の具体的構成及び動作を説明する前に、装置利得とＳＩＲ（Signal to Interference Ratio：Ｓ／Ｎ比）及びＥＶＭ（Error Vector Magnitude）の関係について図６及び図７を参照しながら説明する。図６は、アイソレーション量対ＳＩＲ及びＥＶＭの実測データを示す図であり、図７は、装置利得対ＳＩＲ及びＥＶＭの実測データを示す図である。
【００４０】
基地局で変調されて拡散された信号（変調信号）は、中継増幅装置で受信され、装置内部で逆拡散されて復調される。この逆拡散後に、周辺に複数の基地局が存在している場合などは、干渉によってホワイトノイズが重畳される。ＳＩＲは、逆拡散された信号とノイズとの比率より算出されるため、干渉によりホワイトノイズが盛り上がってくると、ＳＩＲは劣化してしまう。
このように、測定されるＳＩＲは、回り込み発振の場合も、希望波に回り込み波が干渉しているため、周辺基地局による干渉の場合と同様に劣化する。
【００４１】
干渉時にＳＩＲが劣化することについて図６を参照しながら説明する。
図６に示すように、アンテナ間アイソレーション量の劣化に応じてＳＩＲ値は減少し、ＥＶＭは劣化していることが分かる。
図６の結果から、波形品質のひとつの目安であるＥＶＭ劣化とＳＩＲ劣化には相関関係があり、また、アンテナ間アイソレーションの劣化にも比例して劣化していることが分かる。よって、良好な波形品質を維持するには、常にＳＩＲを監視し、これを改善させる制御を行えばよいことになる。
【００４２】
次に、回り込みによる波形品質の劣化に対して、装置利得を減少させることで抑止効果があることについて図７を参照しながら説明する。
アンテナ間アイソレーション量を劣化させて回り込み発振した状態から、装置利得を徐々に減少させた場合の装置利得対ＳＩＲ及びＥＶＭの実測データが図７に示されている。
【００４３】
図７に示すように、装置利得を減少させるにつれ、ＳＩＲ，ＥＶＭ共に改善していることが分かる。よって、回り込み状態から波形品質を改善させるには、アンテナ間アイソレーション量に対して装置利得を減少させる手法が有効であるといえる。
例えば、目標とするＥＶＭの値を維持した場合、図７のグラフからそのＥＶＭをとる場合のＳＩＲ値を回り込み制御のしきい値として設定し、しきい値を上回るまで装置利得を下げていくことで、目標の波形品質に改善することが可能となる。
【００４４】
［第１の無線中継増幅装置］
本発明の第１の実施の形態に係る無線中継増幅装置（第１の無線中継増幅装置）について図１を参照しながら説明する。図１は、第１の実施の形態に係る無線中継増幅装置の構成ブロック図である。尚、図４と同様の構成をとる部分については同一の符号を付して説明する。
第１の無線中継増幅装置は、図１に示すように、基地局向けアンテナ１と、下り回線用増幅部２と、信号レベル検出部３と、受信信号制御部７と、下り回線用入力フィルタ１１と、下り回線用出力フィルタ８１と、移動局向けアンテナ８とを基本的に備えている。
【００４５】
基地局向けアンテナ１は、無線基地局１０１から送信される下り信号基地局送信波ａ1 を受信するアンテナである。
下り回線用増幅部２は、基地局送信電波の移動局に対する下り回線信号を中継増幅するものであり、可変減衰器２１と、増幅器２２と、可変減衰器２３と、増幅器２４と、方向性結合器２５と、方向性結合器２６とを備えている。
増幅器２２，２４は、入力信号を増幅して出力するものである。
可変減衰器２１，２３は、制御信号に応じて入力信号の減衰量を変化させるものである。
方向性結合器２５，２６は、入力信号の一部を分岐して出力するものである。
【００４６】
信号レベル検出部３は、検波器３１と、通過帯域フィルタ３２と、差動増幅器３３とを備えている。
検波器３１は、方向性結合器２５で分岐して出力された信号を検波するものである。
通過帯域フィルタ３２は、検波器３１からの出力を帯域制限するフィルタである。
差動増幅器３３は、通過帯域フィルタ３２からの検波出力を受信信号制御部７から供給される基準電圧と比較し、基準電圧を超えたときには、その差分に応じて可変減衰器２１の減衰量を増加させるものである。
【００４７】
受信信号制御部７は、受信信号復調器７１と利得制御部７２とを備えている。
受信信号復調器７１は、方向性結合器２６から分岐された信号を入力し、当該信号の復調を行うものである。尚、方向性結合器２６から出力される信号は、下り信号基地局送信波ａ1 と回り込み信号ｃとの合成信号である。また、復調は、当該合成信号のレベルと波形品質の劣化を検出するために行われる。
具体的には、受信信号復調器７１は、合成信号について信号対干渉雑音比（ＳＩＲ）を測定する測定回路を備え、測定されたＳＩＲの値を利得制御部７２に出力する。
【００４８】
利得制御部７２は、差動増幅器３３への基準電圧を供給し、受信信号復調器７１からのＳＩＲの値を入力し、入力されたＳＩＲの値に応じて、可変減衰器２３の減衰量を制御する制御信号を出力するものである。
【００４９】
具体的には、利得制御部７２は、内部に、しきい値となる基準電圧を差動増幅器３３へ出力する基準電圧供給回路と、受信信号復調器７１で測定されたＳＩＲの値と予め設定された基準レベルとを比較し、ＳＩＲの値が基準レベルを超えていれば、可変減衰器２３の減衰量を増やす制御信号を出力する比較・制御回路とを備えるものである。
【００５０】
下り回線用入力フィルタ１１は、基地局向けアンテナ１で受信した下り信号基地局送信波を帯域制限して下り回線用増幅部２に出力するものである。
下り回線用出力フィルタ８１は、下り回線用増幅部２からの信号を帯域制限して移動局向けアンテナ８に出力するものである。
移動局向けアンテナ８は、下り回線用出力フィルタ８１から出力された信号を移動局２０１に下り移動局受信波ｂ1 として送信するものである。
【００５１】
［第１の無線中継増幅装置の動作概要］
次に、第１の無線中継増幅装置の動作概要について説明する。
図１において、無線基地局１０１から送出された下り信号基地局送信波ａ1 が基地局向けアンテナ１で受信され、下り回線用入力フィルタ１１で帯域制限されて、下り回線用増幅部２に入力される。
【００５２】
下り信号基地局送信波ａ1 は、下り回線用増幅部２で増幅され、下り回線用出力フィルタ８１で帯域制限されて、移動局向けアンテナ８を通して下り信号移動局送信波ｂ1 として移動局２０１に送信される。
【００５３】
移動局向けアンテナ８から出力される下り信号移動局送信波ｂ1 の内、一部はアンテナ間回り込み信号ｃとして自身の基地局向けアンテナ１に回り込むことになる。
基地局向けアンテナ１と移動局向けアンテナ８とのアンテナ間アイソレーションが第１の無線中継増幅装置の利得より小さくなると、第１の無線中継増幅装置は異常発振を引き起こすことになる。
【００５４】
また、アンテナ間アイソレーションと第１の無線中継増幅装置の利得差が小さくなり、異常発振を引き起こさない利得差であっても、第１の無線中継増幅装置によって下り信号基地局送信波ａ1 の波形品質は劣化して下り信号移動局送信波ｂ1 として送出されることになる。
【００５５】
異常発振と波形品質の劣化を防止するために、受信信号制御部７が設けられている。
下り回線用増幅部２における方向性結合器２６は、基地局向けアンテナ１に入力された下り信号基地局送信波ａ1 と回り込み信号ｃとの合成信号の一部を受信信号制御部７に出力する。
【００５６】
受信信号制御部７では、合成信号の波形品質の劣化を検出し、下り回線用増幅部２の利得を制御する。
例えば、波形品質の劣化については、例えば、信号対干渉雑音比（ＳＩＲ）を測定し、ＳＩＲを基準レベル以下となるまで下り回線用増幅部２の制御し、無線中継増幅装置で発生する波形品質の劣化を防ぐことが可能である。
【００５７】
尚、無線中継増幅装置が異常発振を引き起こす状態では、合成信号のレベルは規定のしきい値以上となり、基準レベルとの比較によって下り回線用増幅部２の利得を制御することで異常発振を防ぐことが可能となる。異常発振を防止するために、信号レベル検出部３が動作するようになっている。
【００５８】
［第１の無線中継増幅装置の具体的動作］
次に、第１の無線中継増幅装置における更に具体的な動作を説明する。
第１の無線中継増幅装置の動作は、基地局向けアンテナ１が無線基地局１０１から下り信号基地局受信波ａ1 を受信し、下り回線用入力フィルタ１１に出力し、下り回線用入力フィルタ１１で帯域制限を行い、下り回線用増幅部２に出力する。
【００５９】
下り回線用増幅部２において、可変減衰器２１，２３で減衰を行い、増幅器２２，２４で増幅を行い、方向性結合器２５，２６で各々出力の一部を分岐して出力する。
方向性結合器２５で分岐された出力は、信号レベル検出部３の検波器３１に入力されて検波され、通過帯域フィルタ３２で帯域制限を行い、差動増幅器３３に出力される。
【００６０】
受信信号制御部７の利得制御部７２は、信号レベル検出部３の差動増幅器３３に基準電圧を供給しており、差動増幅器３３は、方向性結合器２５から分岐された信号がその基準電圧を超えている場合には、可変減衰器２１の減衰量を増加させる制御信号を可変減衰器２１に出力し、下り回線用増幅部２が飽和状態にならないように利得制御される。つまり、無線中継増幅装置における異常発振の発生を防止している。
【００６１】
また、方向性結合器２６で分岐された出力（合成信号）は、受信信号制御部７の受信信号復調器７１に入力され、合成信号のレベルと波形品質の劣化を検出するために、例えば、ＳＩＲを測定し、測定したＳＩＲの値を利得制御部７２に出力する。
利得制御部７２は、ＳＩＲの値を入力し、入力したＳＩＲが予め設定された基準レベルを超えていれば、可変減衰器２３の減衰量を増やすよう制御信号を可変減衰器２３に出力し、波形品質の劣化を防止する。
【００６２】
そして、下り回線用増幅部２において、方向性結合器２５からの出力は、下り回線用入力フィルタ８１で帯域制限を行い、移動局向けアンテナ８から移動局２０１に下り信号移動局受信波ｂ1 を送信する。
【００６３】
［第２の無線中継増幅装置］
次に、本発明の第２の実施の形態に係る無線中継増幅装置（第２の無線中継増幅装置）について図２を参照しながら説明する。図２は、第２の無線中継増幅装置の構成ブロック図である。
第２の無線中継増幅装置は、図２に示すように、無線基地局１０１から移動局２０１への下り回線信号を中継増幅すると共に、移動局２０１から無線基地局１０１への上り回線信号を中継増幅する双方向の無線中継増幅装置となっている。
【００６４】
第２の無線中継増幅装置は、図２に示すように、基地局向けアンテナ１と、下り回線用増幅部２と、信号レベル検出部３と、上り回線用増幅部４と、信号レベル検出部５と、受信信号制御部７と、基地局向け共用器１０と、移動局向け共用器８０と、移動局向けアンテナ８とを基本的に備えている。
【００６５】
図２における基地局向けアンテナ１と、下り回線用増幅部２と、信号レベル検出部３と、移動局向けアンテナ８は、図１に示したものと同様である。
また、上り回線用増幅部４と、信号レベル検出部５は、上り回線用として使用するものであるが、その基本的構成及び動作は、下り回線用増幅部２、信号レベル検出部３と各々同様である。
【００６６】
また、基地局向け共用器１０は、下り回線用入力フィルタ１１と、上り回線用出力フィルタ１２を備えている。
移動局向け共用器８０は、下り回線用出力フィルタ８１と、上り回線用入力フィルタ８２を備えている。
【００６７】
受信信号制御部７は、受信信号復調器７１，７３と、利得制御部７２とを備えている。
受信信号復調器７１は、下り回線用増幅器２に対する復調器であり、受信信号復調器７３は、上り回線用増幅部４に対する復調器である。
つまり、受信信号復調器７１は、方向性結合器２６から入力された信号のＳＩＲ等を検出し、受信信号復調器７３は、方向性結合器４６から入力された信号のＳＩＲ等を検出する。
【００６８】
利得制御部７２は、差動増幅器３３及び差動増幅器５３に対して基準電圧を供給し、可変減衰器２３及び可変減衰器４３に対する減衰量を制御する制御信号を出力する。
つまり、利得制御部７２は、受信信号復調器７１で検出された信号のＳＩＲ等に基づいて可変減衰器２３の減衰量を制御し、受信信号復調器７３で検出された信号のＳＩＲ等に基づいて可変減衰器４３の減衰量を制御する。
【００６９】
［第３の無線中継増幅装置］
次に、本発明の第３の実施の形態に係る無線中継増幅装置（第３の無線中継増幅装置）について図３を参照しながら説明する。図３は、第３の無線中継増幅装置の構成ブロック図である。
第３の無線中継増幅装置は、第２の無線中継増幅装置の基本的構成と同様である。
【００７０】
相違する点は、実運用でのフェージング等のレベル変動を考慮して下り回線用増幅部２と上り回線用増幅部４の利得を制御するものである。
具体的には、無線中継増幅装置を設置した状態でフェージング等の影響を測定し、その影響に応じた利得（可変減衰器に対する減衰量）を予め設定しておき、当該利得での増幅を行わせるものである。場合によっては、差動増幅器に対する基準電圧の値を上記影響に応じて設定するようにしてもよい。
【００７１】
［実施の形態の効果］
第１〜３の無線中継増幅装置によれば、入力される高周波信号を基本データまで復調する復調器を備えることにより、回り込み量を未然に検知して増幅部の利得を制御するようにしているので、回り込んだ信号の影響により無線中継増幅装置で引き起こされる異常発振を防止し、増幅する無線信号の波形品質の劣化を防止できる効果がある。
【００７２】
また、第１〜３の無線中継増幅装置によれば、受信信号の周波数とは異なる周波数のパイロット信号を装置内で注入して回り込み信号のレベルを検出する従来技術と比較して、パイロット信号を発生させる必要がないため、回路構成を簡略化でき、また、不要波を装置外に送信しないため、適正な運用を図ることができる効果がある。
【００７３】
第２，３の無線中継増幅装置によれば、無線基地局から移動局への下り回線及び、移動局から無線基地局への上り回線の双方向に対して異常発振、波形品質の劣化を防止できる効果がある。
【００７４】
第３の無線中継増幅装置によれば、実運用でのフェージング等によるレベル変動を考慮して、増幅部の利得を制御できる効果がある。
【００７５】
［応用例１］
上記第１〜３の無線中継増幅装置では、ＳＩＲの劣化を検出した場合は、回り込みと判定して制御するようにしているが、もし、回り込み以外にＳＩＲが劣化する原因がある場合は、誤った制御動作により不要に装置利得を下げてしまうことになる。
そのため、回り込みによるＳＩＲ劣化と回り込み以外の原因で起きるＳＩＲ劣化を区別する必要がある。
【００７６】
回り込み以外のＳＩＲ劣化の原因として、（１）受信信号のレベルが小さく、検波誤りを起こす場合、（２）Ｗ−ＣＤＭＡ（Wide Band  Code Division Multiple Access）中継局に関して、同一周波数で異なる基地局から同等レベルの信号を受信すると、符号干渉によりＳＩＲが劣化する場合などがある。
【００７７】
上記の場合、回り込み検出によって装置利得を下げても、ＳＩＲ劣化の原因は取り除くことができないため、ＳＩＲは改善しない。そこで、以下の方法によって回り込みによるＳＩＲ劣化と回り込み以外の原因で起きるＳＩＲ劣化を区別するものとする。
【００７８】
ＳＩＲ劣化による回り込み判定で装置利得を減少させたとき、装置利得減少後にＳＩＲが改善した場合、回り込みが原因のＳＩＲ劣化と判定し、装置利得は下げたままとし、装置利得減少後もＳＩＲが改善しない場合、回り込み以外の原因でのＳＩＲ劣化と判定し、装置利得を元に戻すものである。
【００７９】
このように、回り込み以外の原因でＳＩＲ劣化と判定して、装置利得を元の値に戻す制御を行うことで、符号間干渉時などに誤って利得制御を行った結果、不用意に装置利得が下がるような状態を回避できる効果がある。
【００８０】
上記処理を実現する受信信号制御部７の利得制御部７２における具体的処理について図８，図９を参照しながら説明する。図８は、ＳＩＲ劣化を検出した場合の前半の処理を示すフローチャートであり、図９は、ＳＩＲ劣化を検出した場合の後半の処理を示すフローチャートである。
尚、利得制御部７２における図８，９の制御は、第１〜３の無線中継増幅装置に適用できるものである。
【００８１】
回り込み制御に移行する状態は、ａ）中継増幅装置の電源投入時及びリセット時のタイミング、ｂ）局リスト再読み込み（局切替え又は再読み込みタイマのタイムアップ）のタイミング、ｃ）上り、下りのＡＧＣ動作発生のタイミングである（Ｓ１０）。
【００８２】
ａ）のタイミングで回り込み判定に移る理由は、電源を投入する置局時のアンテナ位置調整の不備などが原因で回り込みが起こりやすいためである。
また、ｂ）のタイミングは、中継増幅装置と基地局間の伝搬損を測定し、最小伝搬損の基地局を特定するタイミング（１時間に１回）である。このタイミングで回り込み判定に移る理由は、基地局が切り替わることで伝搬損より算出される装置利得が変化し、回り込みが起きる可能性が高いためである。
また、ｃ）のタイミングは、完全な回り込み発振状態が起きた場合に、上りと下りを共にＡＧＣ動作させて装置利得を下げることで発振を止めるためのものである。この場合、発振は止まるが波形品質の改善には至っていないため、さらにＳＩＲ判定を行い、所定のＥＶＭとなる波形品質に改善させるために回り込み制御を行うものである。
【００８３】
上記ａ）〜ｃ）のいずれかの状態の場合には、その時点でのＳＩＲ値を測定し、予め設定したＳＩＲしきい値＝ＸdBとの比較を行う。
具体的には、常に変動しているＳＩＲ値に対して待ち時間を設けてデータの標準化を行い、ＳＩＲ値の安定化待ちを行う（Ｓ１１）。次に、局リスト読出し局のＳＩＲ値を取得し（Ｓ１２）、測定したＳＩＲ値がｍ回連続してしきい値（ＸdB）を下回ったか否かの判定を行う（Ｓ１３）。
【００８４】
測定ＳＩＲ値がｍ回連続してしきい値を下回っていなければ（Ｎｏの場合）、処理Ｓ１２に戻る。測定ＳＩＲ値がｍ回連続してしきい値を下回っていれば（Ｙｅｓの場合）、ＡＴＴ制御で装置利得を任意の値ＹdBだけ減少させる（Ｓ１４）。装置利得の制御は、可変減衰器２３，４３の減衰量を制御することで為される。
その後、ＳＩＲ測定値の安定化待ちの処理を行う（Ｓ１５）。
【００８５】
次に、図９に示すように、局リスト読出し局のＳＩＲ値を取得し（Ｓ１６）、測定ＳＩＲ値がしきい値（ＸdB）を上回ったか否かを判定する（Ｓ１７）。判定処理Ｓ１７では、ＳＩＲしきい値のみで判断しており、これはＥＶＭ値による判断と同じことである。尚、図８の（Ｘ）と図９の（Ｘ）は処理が接続している。
【００８６】
判定処理Ｓ１７で、測定ＳＩＲ値がしきい値を上回った場合（Ｙｅｓの場合：上回った）は、ＳＩＲ値の劣化は回り込みが原因と判断して、ＡＴＴ制御で装置利得をさらにＺdB減少させる制御（追い込み制御）を行う（Ｓ１８）。
また、判定処理Ｓ１７で、測定ＳＩＲ値がしきい値を下回った場合（Ｎｏの場合：下回った）は、測定ＳＩＲ値がしきい値を下回ったことをｎ回評価したか否かを判定する（Ｓ１９）。
【００８７】
判定処理Ｓ１９で、ｎ回評価していない場合（Ｎｏの場合：１〜ｎ−１回目）、処理Ｓ１６に戻る。判定処理Ｓ１９で、ｎ回評価している場合（Ｙｅｓの場合：ｎ回評価済み）、ＳＩＲ値の劣化は符号間干渉が原因と判断して、ＡＴＴ制御で装置利得をＳＩＲ劣化制御前の状態に戻す制御（追加分を抜く制御）を行う（Ｓ２０）。
そして、以下のいずれかのタイミングが発生するまで、重複動作防止のため、ＳＩＲ劣化制御は行わない（Ｓ２１）。このタイミングは、処理Ｓ１０で説明したタイミングと同じである。
【００８８】
また、回り込みと判断した場合に、回り込みの警報を出力して、それを監視局へ伝送する機能を追加することで、常に、中継局の回り込み状況を監視することができ、頻繁に警報を発している中継局に対してはアンテナの配置変更等を施すことで、恒久的な中継局のメンテナンスが可能となる。
【００８９】
上記回り込み制御により、アンテナ間アイソレーション不足が原因で起こる発振及び波形品質の劣化を防ぐことができ、かつ回り込み以外の原因に起因するＳＩＲ劣化（Ｗ−ＣＤＭＡにおける符号間干渉等）との区別を判定する機能を備えることで、誤った利得制御を行うことなく、確実に回り込みを抑えることができる無線中継増幅装置を実現できるものである。
【００９０】
［応用例２］
次に、回り込み発振を抑える新たな手法について説明する。
回り込み発振が起こった場合に、回り込みをキャンセルするのではなく、アンテナのチルト角又は設置位置、若しくは両方を変更することで回り込みを抑えるものである。
【００９１】
具体的には、送信波の回り込みによるループ発振及び波形品質を防ぐため、基地局からの受信電力の希望波対干渉波比（ＳＩＲ）を監視して、これが劣化した場合は、回り込みが発生したと判定し、アンテナのチルト角又は／及び設置位置を変更することで、ループ発振及び波形品質の劣化を抑止し、安定した品質の送信波を提供する無線中継増幅装置を実現できる。
【００９２】
上記手法を実現するためには、図１〜図３に示した第１〜３の無線中継増幅装置において、アンテナチルト角等を制御するアンテナチルト角等制御部と、基地局向けアンテナ１のチルト角等を調整する基地局向けアンテナ調整手段と、移動局向けアンテナ８のチルト角等を調整する移動局向けアンテナ調整手段とを有し、利得制御部７２（又は７２′）がＳＩＲを測定し、設定したＳＩＲしきい値を下回った場合に、アンテナ間アイソレーション不足による回り込みと判定して、当該測定したＳＩＲ値をアンテナチルト角等制御部に出力するものである。
【００９３】
ここでは、基地局向けアンテナ調整手段と移動局向けアンテナ調整手段を備えるようにしたが、いずれか一方だけ設けるようにしてもよい。その場合、位置が移動する移動局に対する移動局向けアンテナ調整手段を設けるのが効果的である。
【００９４】
基地局向けアンテナ調整手段又は移動局向けアンテナ調整手段は、以下の機能を有するものである。
第１に、アンテナチルト角等制御部からの制御信号によって、遠隔操作によって機械的又は電気的に任意のチルト角に可変にする調整制御を行う。
第２に、アンテナチルト角等制御部からの制御信号によって、遠隔操作によって任意の高さに設置位置を可変にする調整制御を行う。
第３に、アンテナチルト角等制御部からの制御信号によって、遠隔操作によって取り付け位置を地面と水平方向に移動させて設置位置を可変にする調整制御を行う。
【００９５】
アンテナチルト角等制御部は、基地局向けアンテナ調整手段又は移動局向けアンテナ調整手段への電源供給を行うと共に、制御信号を送信してチルト角等を制御するものである。
また、アンテナチルト角等制御部は、基地局向けアンテナ１又は／及び移動局向けアンテナ８のチルト角又は／及び設置位置の変化量の監視を行い、希望する通話エリアを逸脱するような場合には、制御を制限する機能も備えるものである。
【００９６】
アンテナチルト角等制御部は、回り込み制御と連動して回り込みによるＳＩＲ劣化時には基地局向けアンテナ１又は／及び移動局向けアンテナ８のチルト角等を制御することで、アンテナ間アイソレーション量を改善し、回り込みによる波形品質劣化及び発振を抑える効果がある。
アンテナチルト角等制御部における具体的な制御処理については後述する。
【００９７】
アンテナチルト角等制御部、基地局向けアンテナ調整手段、移動局向けアンテナ調整手段を用いた制御には、以下の利点がある。
第１に、アンテナ間アイソレーション量改善のためのチルト角等の調整を自動で行うため、無線中継増幅装置の設置時においてチルト角等の調整が作業者の手を介さずに簡易に行うことができる。
第２に、長期的な無線中継増幅装置の維持について考えた場合、無線中継増幅装置周辺の電波環境の変化（例えば、反射物となる構造物が無線中継増幅装置の周辺に建てられた場合）により、アンテナ間アイソレーションが劣化したときでも、追従してチルト角等の制御ができるため、常に安定した波形品質を提供できるものである。
【００９８】
第３に、アンテナのチルト角等を可変にすることで対処するものであるから、利得減少によって通話エリアが狭まることを防ぐことができる効果がある。
第４に、チルト角又は／及びアンテナ設置位置の変化量を監視するようにしているので、計画したとおりの通話エリアが保証される。
【００９９】
次に、アンテナチルト角等の調整制御による回り込み制御の処理について図１０〜図１２を参照しながら説明する。図１０は、アンテナチルト角等の調整制御における前半の処理を示すフローチャートであり、図１１は、アンテナチルト角等の調整制御における後半の処理で、ＳＩＲ値が改善した場合のフローチャートであり、図１２は、アンテナチルト角等の調整制御における後半の処理で、ＳＩＲ値が改善しなかった場合のフローチャートである。
尚、図１０〜図１２の処理は、利得制御部７２（７２′）とアンテナチルト角等制御部の協働で為されるようになっている。
また、図１０〜図１２での処理は、移動局向けアンテナのチルト角を調整制御する場合について説明している。
【０１００】
図１０に示すように、処理は以下のいずれかによって発生する（Ｓ３１）。
ａ）装置起動、リセット時、ｂ）局リスト再読み込み（局切替え又は再読込みタイマのタイムアップ）時、ｃ）上り、下りＡＧＣ動作発生時である。これらタイミングで動作するのは、図８の処理Ｓ１０で説明したとおりである。
尚、ＡＧＣ（Automatic Gain Control）は、中継増幅装置が過出力となるような受信レベルを受けた場合に、自動的に装置利得を減少させて装置を保護する機能である。
【０１０１】
処理が開始されると、局リスト読出し局のＳＩＲ値を測定して取得し（Ｓ３２）、測定ＳＩＲ値が予め定められたしきい値を下回ったか否かを判定する（Ｓ３３）。
下回っていなければ（Ｎｏの場合）、処理を終了し、処理Ｓ５５に移行する。
下回っていたら（Ｙｅｓの場合）、測定ＳＩＲ値をメモリに格納する（Ｓ３４）。
メモリは、アンテナチルト角等制御部内に設けてもよいが、アンテナチルト角等制御部の外部に設けるようにしてもよい。
【０１０２】
処理Ｓ３４に続いて、移動局向けアンテナ８のチルト角を＋Ｙ°変更する制御を行う（Ｓ３５）。
そして、局リスト読出し局のＳＩＲ値を測定して取得し（Ｓ３６）、測定ＳＩＲ値が処理Ｓ３４のメモリに格納したＳＩＲ値から改善したか否かを判定する（Ｓ３７）。
改善したなら（Ｙｅｓの場合）、図１１の処理Ｓ４１に移行し、改善しなかったなら（Ｎｏの場合）、図１２の処理Ｓ５１に移行する。
【０１０３】
改善したなら、図１１に示すように、測定ＳＩＲ値が予め設定されたしきい値を上回ったか否かを判定し（Ｓ４１）、上回っていれば（Ｙｅｓの場合）、チルト角を現状の値で固定して（Ｓ４８）、処理を終了し、処理Ｓ５５に移行する。
【０１０４】
測定ＳＩＲ値がしきい値を下回ったら（Ｎｏの場合）、測定ＳＩＲ値をメモリに格納する（Ｓ４２）。
次に、チルト角を＋Ｙ°変更する制御を行う（Ｓ４３）。そして、チルト角の変更回数をカウントする処理を行う（Ｓ４４）。
【０１０５】
そして、チルト角の変更をｎ回だけ変化させて評価したか否かを判定し（Ｓ４５）、ｎ回評価済みであれば（Ｙｅｓの場合）、処理Ｓ４７に移行し、処理Ｓ４８を経て処理Ｓ５５に移行する。
ｎ回評価済みでなければ（１〜ｎ−１回目の場合：Ｎｏの場合）、測定ＳＩＲ値が処理Ｓ４２でメモリに格納した値から改善したか否かを判定する（Ｓ４６）。改善した場合（Ｙｅｓの場合）、処理Ｓ４１に戻る。
改善しなかった場合（Ｎｏの場合）、チルト角を＋Ｙ°元に戻す制御を行う（Ｓ４７）。そして、処理Ｓ４８を経て処理Ｓ５５に移行する。
【０１０６】
また、判定処理Ｓ３７で改善しなかった場合（Ｎｏの場合）、図１２に示すように、チルト角を０°に戻し、処理Ｓ３５で変更した方向とは逆方向にチルト角を＋Ｙ°変更する制御を行う（Ｓ５１）。
【０１０７】
次に、局リスト読出し局のＳＩＲ値を測定して取得し（Ｓ５２）、測定ＳＩＲ値が処理Ｓ３４でメモリに格納した値から改善したか否かを判定する（Ｓ５３）。改善した場合（Ｙｅｓの場合）、図１１の処理Ｓ４１に移行する。
改善しなかった場合（Ｎｏの場合）、チルト角を角度変更前の０°の状態に戻す制御を行い（Ｓ５４）、処理Ｓ５５に移行する。
【０１０８】
処理Ｓ５５は、重複動作防止のために、以下のいずれかが発生するまではＳＩＲ劣化制御は行わないものである。
具体的には、ａ）装置起動、リセット時、ｂ）局リスト再読み込み（局切替え又は再読込みタイマのタイムアップ）時、ｃ）上り、下りＡＧＣ動作発生時である。ａ）〜ｃ）のいずれかが発生した場合、アンテナチルト角は０°にリセットする制御を行う。
【０１０９】
尚、処理Ｓ３１，Ｓ３２，Ｓ３３、Ｓ３６，Ｓ４１，Ｓ５２，Ｓ５５は、利得制御部７２（７２′）で為され、処理Ｓ３４，Ｓ３５，Ｓ３７，Ｓ４２〜Ｓ４８，Ｓ５１，Ｓ５３，Ｓ５４は、アンテナチルト角等制御部で為されるものである。
但し、上記処理全てを利得制御部に又はアンテナチルト角等制御部の一方で行わせるようにしてもよいし、任意に分担させることも可能である。
【０１１０】
本発明の特徴部分は、ＳＩＲ判定後に任意の角度だけ移動局向けアンテナのチルト角を変更することにある。
つまり、メモリ格納のＳＩＲ値＜現状ＳＩＲ値ならば、チルト角の変更によってＳＩＲが改善しているので、更に最適なチルト角を探査する制御を継続し、メモリ格納のＳＩＲ値＞現状ＳＩＲ値ならば、チルト角の変更によってＳＩＲが劣化しているので、チルト角を０°に戻すものである。更に、処理Ｓ５１で、チルト角を逆方向にＹ°変更して、処理Ｓ５３で、再度、処理Ｓ３４でメモリに格納した値と比較し、ＳＩＲが改善しているかの判定を行う。
【０１１１】
上記制御処理で用いるチルト角を可変にするアンテナ調整手段におけるアンテナの可変範囲が±（Ｙ×ｎ）°とすると、上記制御をｎ回試行することによって、アンテナチルト角の全可変範囲の内で良好なＳＩＲ値を得られるチルト角に設定することが可能となる。
【０１１２】
上記発明によれば、ＳＩＲ値を監視し、回り込み判定できる機能、それに連動させてアンテナのチルト角又は／及び水平、垂直方向のアンテナ移動による調整制御することで回り込みを抑える機能を有することで、チルト角の自己調整機能によって恒久的なアイソレーション量の劣化にも対応可能となり、回り込み対策に特化した自立中継増幅装置を実現できる。
【０１１３】
また、第１〜第３の無線中継増幅装置での制御処理に加えて図８、図９の処理又は図１０〜図１２の一方若しくは双方の処理を行わせることにより、回り込み対策を良好に行うことが可能となる。
【産業上の利用可能性】
【０１１４】
本発明は、送信アンテナから受信アンテナに回り込む信号によって発生する異常発振や波形品質の劣化を、パイロット信号等の不要波を発生させることなく、容易に防止できる無線中継増幅装置に好適である。
【図面の簡単な説明】
【０１１５】
【図１】第１の実施の形態に係る無線中継増幅装置の構成ブロック図である。
【図２】第２の無線中継増幅装置の構成ブロック図である。
【図３】第３の無線中継増幅装置の構成ブロック図である。
【図４】第１の従来技術に係る無線中継増幅装置の構成ブロック図である。
【図５】第２の従来技術に係る無線中継増幅装置の構成ブロック図である。
【図６】アイソレーション量対ＳＩＲ及びＥＶＭの実測データを示す図である。
【図７】装置利得対ＳＩＲ及びＥＶＭの実測データを示す図である。
【図８】ＳＩＲ劣化を検出した場合の前半の処理を示すフローチャートである。
【図９】ＳＩＲ劣化を検出した場合の後半の処理を示すフローチャートである。
【図１０】アンテナチルト角等の調整制御における前半の処理を示すフローチャートである。
【図１１】アンテナチルト角等の調整制御における後半の処理で、ＳＩＲ値が改善した場合のフローチャートである。
【図１２】アンテナチルト角等の調整制御における後半の処理で、ＳＩＲ値が改善しなかった場合のフローチャートである。
【符号の説明】
【０１１６】
１…基地局向けアンテナ、  ２…下り回線用増幅部、  ３…信号レベル検出部、  ４…上り回線用増幅部、  ５…信号レベル検出部、  ６…パイロット信号発生・検出部、  ７…受信信号制御部、  ８…移動局向けアンテナ、  １０…基地局向け共用器、  １１…下り回線用入力フィルタ、  １２…上り回線用出力フィルタ、  ２１…可変減衰器、  ２２…増幅器、  ２３…可変減衰器、  ２４…増幅器、  ２５…方向性結合器、  ２６…方向性結合器、  ３１…検波器、  ３２…通過帯域フィルタ、  ３３…差動増幅器、  ４１…可変減衰器、  ４２…増幅器、  ４３…可変減衰器、  ４４…増幅器、  ４５…方向性結合器、  ４６…方向性結合器、  ５１…検波器、  ５２…通過帯域フィルタ、  ５３…差動増幅器、  ６１…パイロット信号検出器、  ６２…利得制御部、  ６３…パイロット信号発生器、  ７１…受信信号復調器、  ７２，７２′…利得制御部、  ７３…受信信号復調器、  ８０…移動局向け共用器、  ８１…下り回線用出力フィルタ、  ８２…上り回線用入力フィルタ、  １０１…無線基地局、  ２０１…移動局
【図１】
2008283426.tif 000003
【図２】
2008283426.tif 000004
【図３】
2008283426.tif 000005
【図４】
2008283426.tif 000006
【図５】
2008283426.tif 000007
【図６】
2008283426.tif 000008
【図７】
2008283426.tif 000009
【図８】
2008283426.tif 000010
【図９】
2008283426.tif 000011
【図１０】
2008283426.tif 000012
【図１１】
2008283426.tif 000013
【図１２】
2008283426.tif 000014